(57)【要約】      （修正有）【課題】バケットの底部に掬い取った土が粘着物質であっても、底部に固着することなく、作業効率よく作業できる油圧ショベル用バケットにおける付着防止具を提供する。【解決手段】バケット本体Ｂの底部Ｂａに、該底部を覆う敷板材１を設け、該敷板１の一端を、バケット本体Ｂの端部に固定手段２により固定し、該敷板材１の他端は、フリーにしたことを特徴とする油圧ショベル用バケットにおける付着防止具から構成される。前記敷板材１は、ゴム状の板材であり、通常は、バケット本体Ｂの底部Ｂａに位置しており、該敷板材１を介してバケット本体Ｂで粘着物質Ｘを掬いとる。又、前記固定手段２は、バケット本体Ｂの一端に、敷板材１の端部を当て板２ａを介して、ワッシャー２ｂを嵌挿したボルト２ｃとナット２ｄを用いて、複数箇所締め付け固定した。【選択図】図２
0003198446.tif 000002
【実用新案登録請求の範囲】
【請求項１】
バケット本体（Ｂ）の底部（Ｂａ）に、該底部を覆う敷板材（１）を設け、該敷板材（１）の一端を、バケット本体（Ｂ）の端部に固定手段（２）により固定し、該敷板材（１）の他端は、フリーにしたことを特徴とする油圧ショベル用バケットにおける付着防止具。
【請求項２】
バケット本体（Ｂ）の底部（Ｂａ）に、該底部（Ｂａ）を覆う敷板材（１）を設け、該敷板材（１）の一端を、バケット本体（Ｂ）の端部に固定手段（２）により固定し、該敷板材（１）の他端は、フリーにすると共に、該敷板材（１）に、ワイヤー（３）の一端を固定し、該ワイヤー（３）を、牽引手段（４）を用いて、該敷板材（１）をバケット本体（Ｂ）の底部（Ｂａ）に復帰させることを特徴とする油圧ショベル用バケットにおける付着防止具。
【考案の詳細な説明】
【技術分野】
【０００１】
この考案は、油圧ショベル用バケットにおける付着防止具に関するものである。
【背景技術】
【０００２】
従来、土木建築工事において使用する油圧ショベル用バケットは、使用の一例として、地面あるいは地面に積み上げられた土等を掬い取って、ダンプカーに積み込んだり、別り場所に移動したりするものであり、一度の動作で多量の土砂等を移動できるものであり、大変省力的な装置である。
【０００３】
しかしながら、掬い取る素材が、例えば、粘着力の強い土や化学物質であった場合には、強い圧力で掬い取るため、バケットの底部に固着されてしまい、バケットを反転させても底部から離れず、固着したまま、再度、バケットを稼働させても、バケットの容量の２０〜３０％の作業量としかならず、極めて作業効率の悪いものであった。
【０００４】
しかし、バケット関しては、浚渫工事等で濁水発生を阻止するため、バケットに蓋を設けて掬った土砂等が流れ出ないようにする付属品は存在している。例えば、特許文献1のように。
【先行技術文献】
【特許文献】
【０００５】
【特許文献１】特許第４４３２０６６号広報
【考案の概要】
【考案が解決しようとする課題】
【０００６】
そこで、上記課題を解決する為に、この考案はバケットの底部に掬い取った土が粘着物質であっても、底部に固着することなく、作業効率が良く作業できる油圧ショベルにおける付着防止具を開発・提供することにある。
【課題を解決するための手段】
【０００７】
この考案の油圧ショベル用バケットにおける付着防止具は、バケット本体の底部に、該底部を覆う敷板材を設け、該敷板材の一端を、バケット本体の端部に固定手段により固定し、該敷板材の他端は、フリーにしたことを特徴とする。
【０００８】
そして、バケット本体の底部に、該底部を覆う敷板材を設け、該敷板材の一端を、バケット本体の端部に固定手段により固定し、該敷板材の他端は、フリーにすると共に、該敷板材に、ワイヤーの一端を固定し、該ワイヤーを、牽引手段を用いて、該敷板材をバケット本体の底部に復帰させることを特徴とする。
【考案の効果】
【０００９】
この考案によると、バケット本体（Ｂ）の底部（Ｂａ）に、該底部を覆う敷板材（１）を設けることにより、敷板材（１）が粘着物質（Ｘ）の付着を阻止されて底部に固着することはなく、その結果、掬い取る作業をする毎に、バケット本体の容量一杯の粘着物質（Ｘ）を掬い取ることが出来、または、払い落とすことが出来、効率の良い掬い取り作業が出来る等の極めて有益なる効果を有するものである。
【００１０】
又、敷板材（１）は、バケット本体（Ｂ）の底部（Ｂａ）の一端に、固定手段（２）により固定されており、他端は、フリー（バケット本体に固定されていない意味）となっており、バケット本体（Ｂ）を反転させることにより、バケット本体（Ｂ）から離れて垂れ下がった状態の敷板材（１）は牽引手段（４）によりワイヤー（３）を牽引することにより、バケット本体（Ｂ）の底部（Ｂａ）に強制的に復帰する事が出来る等の効果を奏する。
【図面の簡単な説明】
【００１１】
【図１】この考案のバケットの掬った状態の一実施例を示す断面図である。
【図２】この考案のバケットの払い落とした状態の一実施例を示す断面図である。
【図３】この考案のバケットの払い落とした状態の一実施例を示す正面図である。
【図４】この考案の使用状態の一例を示す説明図である。
【考案を実施するための形態】
【００１２】
以下、この考案について詳細に説明する。尚、この考案においては、以下の記述に限定されるものではなく、この考案の要旨を逸脱しない範囲においては適宜変更可能である。
【実施例１】
【００１３】
先ず、この考案の一実施例を図１、２、３に基づいて詳述すると、バケット本体（Ｂ）の底部（Ｂａ）に、該底部を覆う敷板材（１）を設け、該敷板材（１）の一端を、バケット本体（Ｂ）の端部に固定手段（２）により固定し、該敷板材（１）の他端は、フリーにしたことを特徴とする油圧ショベル用バケットにおける付着防止具から構成されるものである。
【００１４】
尚、前記敷板材（１）の一例を述べると、ゴム状の板材であり、通常は、バケット本体（Ｂ）の底部（Ｂａ）に位置しており、該敷板材（１）を介してバケット本体（Ｂ）で粘着物質（Ｘ）を掬いとるものである。
【００１５】
又、前記固定手段（２）の一例を述べると、バケット本体（Ｂ）の一端に、敷板材（１）の端部を当て板（２ａ）を介して、ワッシャー（２ｂ）を嵌挿したボルト（２ｃ）とナット（２ｄ）を用いて、複数箇所（図３において５箇所設けている。）締め付け固定したものである。
【００１６】
更に、粘着物質（Ｘ）の一例を述べると、赤土等の粘土、灰、ベントナイト等をいうが、これらの物質に限定されることはない。
【００１７】
尚、図１、図２、図３にそれぞれ示す（Ａ）は、バケット本体（Ｂ）を回動可能に枢支するアーム部である。
【００１８】
次に、この考案の他の実施例を図１、２、３に基づいて詳述すると、バケット本体（Ｂ）の底部（Ｂａ）に、該底部（Ｂａ）を覆う敷板材（１）を設け、該敷板材（１）の一端を、バケット本体（Ｂ）の端部に固定手段（２）により固定し、該敷板材（１）の他端は、フリーにすると共に、該敷板材（１）に、ワイヤー（３）の一端を固定し、該ワイヤー（３）を、牽引手段（４）を用いて、該敷板材（１）をバケット本体（Ｂ）の底部（Ｂａ）に復帰させることを特徴とする油圧ショベル用バケットにおける付着防止具から構成される。尚、使用状態の一例としては図４に示す。
【００１９】
そして、前記牽引手段（４）の一例を述べると、筒状のケース内にエアーシリンダー又はスプリングを駆動源としたものであり、前記敷板材（１）に、一端を固定したワイヤー（３）を、バケット本体（Ｂ）に形成した通し穴（Ｂｂ）より外部に出たワイヤー（３）の他端を前記牽引手段（４）に固定したものであり、該牽引手段（４）を稼働させることにより、前記敷板材（１）をバケット本体（Ｂ）の底部（Ｂａ）に復帰させるものである。
【００２０】
尚、バケット（Ｂ）中心部外面であって、前記ワイヤー通し穴（Ｂｂ）部から、アーム部（Ａ）上部に設けた牽引手段（４）に向かう、ワイヤー（３）を保護するための保護カバー（５）を設けても良いものである。
【産業上の利用可能性】
【００２１】
この考案の油圧ショベル用バケットにおける付着防止具の技術を確立し、実施することにより、産業上利用できるものである。
【符号の説明】
【００２２】
１  敷板材
２  固定手段
２ａ  当て板
２ｂ  ワッシャー
２ｃ  ボルト
２ｄ  ナット
３  ワイヤー
４  牽引手段
５  保護カバー
Ａ  アーム部
Ｂ  バケット本体
Ｂａ  底部
Ｂｂ  通し穴
Ｘ  粘着物質
【図１】
0003198446.tif 000003
【図２】
0003198446.tif 000004
【図３】
0003198446.tif 000005
【図４】
0003198446.tif 000006